(57)【要約】【課題】固定治具の支持軸にＣＣＨボビンを締め付け固定するハンドル部材が緩むことがあっても、ハンドル部材及びＣＣＨボビンが支持軸から外れ落ちるのを防止することにある。【解決手段】ＣＣＨボビン３６を回転可能に支持する固定治具３０の支持軸４０先端部に形成されたねじ軸４２に装着されるＣＣＨボビン３６の支持用取付具１０は、固定治具３０の支持軸４０先端部に形成されたねじ軸４２に螺合する延長ボルト１２と、延長ボルト１２に貫通螺合して前記ボビンを固定する専用ハンドル２４とからなり、延長ボルト１２のボビン挿入側端部には、挿入されるボビン及び螺合される専用ハンドル２４が延長ボルト１２から外れるのを阻止する外れ防止手段としてのストッパ片１４が設けられている。【選択図】図１
2008254902.tif 000002
【特許請求の範囲】
【請求項１】
ＣＣＨ（一束化用のハンガ）を外周に巻いて取付けるボビンを回転可能に支持する固定治具の支持軸先端部に形成されたねじ軸に装着されるＣＣＨボビンの支持用取付具であって、
前記固定治具の支持軸先端部に形成されたねじ軸に螺合する延長ボルトと、該延長ボルトに貫通螺合して前記ボビンを固定する専用ハンドルとからなり、前記延長ボルトのボビン挿入側端部には、挿入されるボビン及び螺合される専用ハンドルが該延長ボルトから外れるのを阻止する外れ防止手段が設けられていることを特徴とする外れ防止機能を備えたＣＣＨボビンの支持用取付具。
【請求項２】
請求項１に記載の外れ防止機能を備えたＣＣＨボビンの支持用取付具であって、
前記延長ボルトのボビン挿入側端部に設けられる外れ防止手段は、当該端部に回動可能に軸支されたストッパ片からなり、該ストッパ片は軸支位置から両方向へ直線状に伸びた状態として配設されており、該ストッパ片は前記ボビン及び前記専用ハンドルを挿入する際には延長ボルトに対して直線状の位置状態とすることができ、挿入後は前記延長ボルトに対して角度を持った位置状態とし前記ボビン及び前記専用ハンドルが外れるのを阻止することのできることを特徴とする外れ防止機能を備えたＣＣＨボビンの支持用取付具。
【請求項３】
請求項２に記載の外れ防止機能を備えたＣＣＨボビンの支持用取付具であって、
前記外れ防止手段のストッパ片は軸支位置から両方向への長さが異なる短片と長片とからなり、該ストッパ片の長片が自重により下方となる位置をとり得る位置状態に、必要に応じて前記支持軸端部のねじ軸にワッシャを介在させ、前記延長ボルトを前記支持軸端部のねじ軸に対し螺合締付けすることを特徴とする外れ防止機能を備えたＣＣＨボビンの支持用取付具。
【請求項４】
請求項２又は請求項３に記載の外れ防止機能を備えたＣＣＨボビンの支持用取付具であって、
前記延長ボルトの前記ボビン挿入側端部には、該延長ボルトの前記支持軸端部のねじ軸への螺合時に該延長ボルトを把持するための面取りがなされていることを特徴とする外れ防止機能を備えたＣＣＨボビンの支持用取付具。
【発明の詳細な説明】
【技術分野】
【０００１】
本発明は外れ防止機能を備えたＣＣＨボビンの支持用取付具に関する。より具体的には、ＣＣＨ（一束化用のハンガ）を外周に巻いて取付けるボビンを回転可能に支持する固定治具の支持軸先端部に形成されたねじ軸に装着される、外れ防止機能を備えたＣＣＨボビンの支持用取付具に関する。
【背景技術】
【０００２】
ＣＣＨボビンの固定治具については、図９に示す構成のものが知られている。固定治具５０は固定対象物である作業用バケット５２に固定治具５０を固定するための固定構造５４とＣＣＨボビン５６を回転可能に支持する支持構造５８からなる。支持構造５８はＣＣＨボビン５６を回転可能に嵌合支持する支持軸６０と、該支持軸６０のボビン挿入端部に形成されたねじ軸６２からなり、支持軸６０に嵌合支持されたボビンは、ねじ軸６２に螺合する固定用ハンドル６４により固定される。この構成では固定用ハンドル６４がＣＣＨボビン５６の支持用取付具に該当する。
なお、関連する技術としては、例えば特許文献１に開示されたものを挙げることができる。但し、特許文献１に記載された発明はボビン固定治具に関する発明ではあるが、支持用取付具を取り外すことなくボビンの取り替えを可能とするものであり、内容としては関係が薄い。
【特許文献１】特開平５−１０５３２９号公報
【発明の開示】
【発明が解決しようとする課題】
【０００３】
固定治具５０は固定構造５４により固定対象物である作業用バケット５２や電柱に固定される。作業用バケット５２に固定治具５０を固定するときは、ＣＣＨボビン５６の径が小さくて作業用バケット５２内に収用できるときには図１０（Ａ）に示すように固定治具５０は作業用バケット５２の内側に固定され、ＣＣＨボビン５６は作業用バケット５２の内側に取り付けられる。また、作業用バケット５２が小さくＣＣＨボビン５６を作業用バケット５２内に収容できないときは図１０（Ｂ）に示すように固定治具５０は作業用バケット５２の外側に固定され、ＣＣＨボビン５６は作業用バケット５２の外側に取り付けられる。そして、ＣＣＨボビン５６は固定用ハンドル６４により締め付けられ固定される。支持軸６０にはＣＣＨボビン５６を夾んで固定用ハンドル６４の反対側にスポンジ６６が挿入されており、固定用ハンドル６４とスポンジ６６でＣＣＨボビン５６を夾むことで摩擦によりＣＣＨボビン５６が空転しないためのブレーキとして機能している。
【０００４】
ＣＣＨボビン５６からハンガや光ケーブルを繰り出す方向は架設現場の状況による決められるため一方向に固定することは困難である。一方、前述の通り、固定用ハンドル６４でＣＣＨボビン５６を加圧している。そこで、ハンガや光ケーブルの繰り出しによりＣＣＨボビン５６が回転し、ＣＣＨボビン５６の回転する方向が固定用ハンドル６４が緩む方向と一致する場合には、ＣＣＨボビン５６の回転により固定用ハンドル６４が緩む方向に回転して、固定用ハンドル６４が緩んで外れてしまうことがある。
そのときは固定用ハンドル６４によるＣＣＨボビン５６の外れを防止する機能が失われるため、ＣＣＨボビン５６が作業用バケット５２の外側に取り付けられている場合や電柱に取り付けられている場合には、ＣＣＨボビン５６が固定治具５０の支持軸６０から外れて落下してしまうおそれがある。
【０００５】
本発明は上述した従来の問題を解決するために提案するものであって、本発明が解決しようとする課題は、固定治具の支持軸にＣＣＨボビンを締め付け固定するハンドル部材が緩むことがあっても、ハンドル部材及びＣＣＨボビンが支持軸から外れ落ちるのを防止することにある。
【課題を解決するための手段】
【０００６】
上記課題を解決するため本発明は次の手段をとる。
まず、本発明の第１の発明に係る外れ防止機能を備えたＣＣＨボビンの支持用取付具は、ＣＣＨ（一束化用のハンガ）を外周に巻いて取付けるボビンを回転可能に支持する固定治具の支持軸先端部に形成されたねじ軸に装着されるＣＣＨボビンの支持用取付具であって、
前記固定治具の支持軸先端部に形成されたねじ軸に螺合する延長ボルトと、該延長ボルトに貫通螺合して前記ボビンを固定する専用ハンドルとからなり、前記延長ボルトのボビン挿入側端部には、挿入されるボビン及び螺合される専用ハンドルが該延長ボルトから外れるのを阻止する外れ防止手段が設けられていることを特徴とする。
この第１の発明によれば、専用ハンドルが緩んだ場合でも、延長ボルトのボビン挿入側端部の外れ防止手段によりボビン及び専用ハンドルが外れることを防止できるため、ボビンの落下を防ぐことができる。
【０００７】
次に本発明の第２の発明は、上記第１の発明の外れ防止機能を備えたＣＣＨボビンの支持用取付具であって、前記延長ボルトのボビン挿入側端部に設けられる外れ防止手段は、当該端部に回動可能に軸支されたストッパ片からなり、該ストッパ片は軸支位置から両方向へ直線状に伸びた状態として配設されており、該ストッパ片は前記ボビン及び前記専用ハンドルを挿入する際には延長ボルトに対して直線状の位置状態とすることができ、挿入後は前記延長ボルトに対して角度を持った位置状態とし前記ボビン及び前記専用ハンドルが外れるのを阻止することのできることを特徴とする。
この第２の発明によれば、ストッパ片が延長ボルトと角度を持った状態となることにより、ボビン及び専用ハンドルの外れを防止することができる。
【０００８】
次に本発明の第３の発明は、上記第２の発明の外れ防止機能を備えたＣＣＨボビンの支持用取付具であって、前記外れ防止手段のストッパ片は軸支位置から両方向への長さが異なる短片と長片とからなり、該ストッパ片の長片が自重により下方となる位置をとり得る位置状態に、必要に応じて前記支持軸端部のねじ軸にワッシャを介在させ、前記延長ボルトを前記支持軸端部のねじ軸に対し螺合締付けすることを特徴とする。
この第３の発明によれば、ストッパ片の長片が自重により下方となることで延長ボルトと角度を持った状態となり、ボビン及び専用ハンドルの外れを防止することができる。
【０００９】
次に本発明の第４の発明は、上記第２の発明又は第３の発明の外れ防止機能を備えたＣＣＨボビンの支持用取付具であって、前記延長ボルトの前記ボビン挿入側端部には、該延長ボルトの前記支持軸端部のねじ軸への螺合時に該延長ボルトを把持するための面取りがなされていることを特徴とする。
この第４の発明によれば、延長ボルトと固定治具の支持軸端部のねじ軸に螺合させるとき、延長ボルトをレンチ等で確実に把持できるので、延長ボルトを強い締結力で支持軸端部に固定することができる。
【発明の効果】
【００１０】
上記本発明の各発明によれば、次の効果が得られる。
まず、上述した第１の発明によれば、専用ハンドルが緩んだ場合でも、延長ボルトのボビン挿入側端部の外れ防止手段によりボビン及び専用ハンドルが外れることを防止できるため、ボビンの落下を防ぐことができる。
次に、上述した第２の発明によれば、ストッパ片が延長ボルトと角度を持った状態となることにより、ボビン及び専用ハンドルの外れを防止することができ、ボビンの落下を防ぐことができる。
次に、上述した第３の発明によれば、ストッパ片の長片が自重により下方となることで延長ボルトと角度を持った状態となり、ボビン及び専用ハンドルの外れを防止することができ、ボビンの落下を防ぐことができる。
次に上述した第４の発明によれば、延長ボルトを固定治具の支持軸端部のねじ軸に螺合させるとき、延長ボルトをレンチ等で確実に把持できるので、延長ボルトを強い締結力で支持軸端部に固定することができ、延長ボルトの締結の緩みを防止することができる。
【発明を実施するための最良の形態】
【００１１】
以下、本発明を実施するための最良の形態を説明する。図１は、本発明の一実施例である外れ防止機能を備えたＣＣＨボビンの支持用取付具１０の使用状態を示す図である。
本発明の外れ防止機能を備えたＣＣＨボビンの支持用取付具１０は、図９に示す従来の固定用ハンドル６４に代えて使用するものであり、固定治具３０及びＣＣＨボビン３６は従来品である既存品の固定治具５０及びＣＣＨボビン５６をそのまま使用することができる。
【００１２】
図２に外れ防止機能を備えたＣＣＨボビンの支持用取付具１０の構成を示す。支持用取付具１０は固定治具３０の支持軸４０の先端部に形成されたねじ軸４２に螺合する延長ボルト１２と、延長ボルト１２に貫通螺合してＣＣＨボビン３６を固定する専用ハンドル２４からなる。
【００１３】
図３は延長ボルト１２の外観を示す図である。延長ボルト１２のねじ軸４２への取付側の端からその長さの略３分の一の範囲には延長ボルト１２をねじ軸４２の雄ネジ部分へ螺合させるための雌ネジ１６が切ってあり、延長ボルト１２の同端からその長さの略３分の１の範囲の外周部には専用ハンドル２４の雌ネジ２６と螺合させるための雄ネジ１８が切ってある。
延長ボルト１２のＣＣＨボビンを挿入する側の端からその長さの略３分の１の範囲には軸対象となる２カ所に面取り２０がされており、面取り２０がされた範囲には面取り２０と直交する方向に貫通溝２１が設けられている。この貫通溝２１のＣＣＨボビン挿入側の端寄りの位置には軸支２２によってストッパ片１４が回動可能に取り付けられている。ストッパ片１４は軸支２２の位置からストッパ片１４の端までの長さが異なる長片１４ａと短片１４ｂからなり、短片１４ｂは軸支２２に対して延長ボルト１２の中央側の貫通溝２１を通過することができる。
短片１４ｂを貫通溝２１に収容してストッパ片１４と延長ボルト１２を平行にした状態では、専用ハンドル２４は長片１４ａの端から延長ボルト１２の雄ネジ１８の位置まで挿通自在となっている。
図４に専用ハンドル２４の外観を示す。専用ハンドル２４は径の異なる円柱を二段重ねとした形状で、中心部の貫通孔には延長ボルト１２の雄ネジ１８と螺合する雌ネジ２６が切られている。
【００１４】
図５に従来品のＣＣＨボビン用の固定治具３０を示す。支持軸４０にＣＣＨボビン３６が嵌合され、ねじ軸４２に支持用取付具１０を構成する延長ボルト１２が螺合される。
図６に支持用取付具１０の取付手順を示す。まず図６（Ａ）に示すように支持軸４０の先端部に形成されたねじ軸４２に延長ボルト１２の雌ネジ１６を螺合して、延長ボルト１２を支持軸４０へ取り付ける。次に図６（Ｂ）に示すように、延長ボルト１２を支持軸４０へレンチで確実に固定する。レンチによって固定する場合、延長ボルト１２に形成された面取り２０にレンチを係合させることにより、延長ボルト１２を確実に把持して締め付けることができ、強い締結力で締め付けを行うことができる。そして図６（Ｃ）に示すようにストッパ片１４の長片１４ａが下を向くように設置する。ストッパ片１４が横を向くときは、ねじ軸４２と延長ボルト１２の間にワッシャを入れて、ストッパ片１４の長片１４ａが下を向くように調整する。
次にストッパ片１４を水平に起こして、図６（Ｄ）に示すようにＣＣＨボビン３６を固定治具３０の支持軸４０に差し込む。次に図６（Ｅ）に示すようにストッパ片１４を水平に起こして専用ハンドル２４を延長ボルト１２に挿通させる。次に専用ハンドル２４を手でしっかり締め付けて取付作業が完了する。支持軸４０にはＣＣＨボビン３６を夾んで専用ハンドル２４の反対側にスポンジ４４が挿入されており、専用ハンドル２４とスポンジ４４でＣＣＨボビン３６を夾むことで摩擦によりＣＣＨボビン３６が空転しないためのブレーキとして機能している。図６（Ｆ）に外れ防止機能を備えたＣＣＨボビンの支持用取付具１０の取付が終わった状態を示す。
【００１５】
上記実施例によれば、専用ハンドル２４によりＣＣＨボビン３６を加圧しているため、ハンガや光ケーブルの繰り出しによりＣＣＨボビン３６が回転し、ＣＣＨボビン３６の回転する方向が専用ハンドル２４が緩む方向と同一の場合には、ＣＣＨボビン３６の回転により専用ハンドル２４が緩む方向に回転して、専用ハンドル２４が緩んで延長ボルト１２の雄ネジ１６から外れてしまうことはありうる。
しかし、専用ハンドル２４が延長ボルト１２のＣＣＨボビン挿入側端部に移動して延長ボルト１２から外れようとすると、専用ハンドル２４は延長ボルト１２のストッパ片１４に当たり、専用ハンドル２４が外れることが阻止される。よって専用ハンドル２４は延長ボルト１２から外れることはなく、専用ハンドル２４によるＣＣＨボビン３６の外れ防止機能は維持されるので、ＣＣＨボビン３６も支持軸４０から外れることはない。よって、ＣＣＨボビン３６が固定治具３０の支持軸４０から外れて落下することはない。
【００１６】
なお、ねじ軸４２と延長ボルト１２及び延長ボルト１２と専用ハンドル２４はともにネジによって螺合されているが、ねじ軸４２と延長ボルト１２はレンチによって締め付けられて固定されているのに対して、延長ボルト１２と専用ハンドル２４は手によって締め付けられているので、延長ボルト１２と専用ハンドル２４の締結力の方が、ねじ軸４２と延長ボルト１２の締結力よりも弱い。よって、雌ネジ１６及び雌ネジ２６を緩める向きにＣＣＨボビン３６が回転した場合には、専用ハンドル２４の雌ネジ２６が緩むことはあっても、延長ボルト１２の雌ネジ１６が緩むことはない。よって延長ボルト１２がＣＣＨボビン３６の回転によってねじ軸４２から外れることはない。
【００１７】
以上、本発明の一実施例について説明したが、本発明はその他各種の形態で実施できるものである。
たとえば、上記実施例では、ストッパ片１４を長片１４ａと短片１４ｂからなる構成としたが、ストッパ片１４の中央部に長手方向の長孔２３を明け、ストッパ片１４が軸支２２で軸支された状態で移動自在の構成とすることができる。図７にストッパ片１４の中央部に長手方向の長孔２３を明けた変形実施例を示す。この構成によれば、ストッパ片１４は軸支２２で軸支された状態で移動自在であるため、長片１４ａと短片１４ｂを意識する必要がない。
また、上記実施例ではストッパ片１４は全体が均一な厚さの構成としたが、ストッパ片１４の一端を貫通溝２１の幅よりも厚い構成とすることができる。図８にストッパ片１４の一端を延長ボルト１２と同じ厚さとした変形実施例を示す。この構成によれば、ストッパ片１４の一端に厚みがありストッパ片１４の端が持ちやすいので、ストッパ片１４を水平にするときの操作性がよい。
なお、変形実施例として示した図７及び図８では、上記実施例の構成に対応する箇所には同一符号を付して示し、詳細構成の再度の説明は省略した。
【図面の簡単な説明】
【００１８】
【図１】本発明の一実施例である外れ防止機能を備えたＣＣＨボビンの支持用取付具の使用状態を示す図である。
【図２】外れ防止機能を備えたＣＣＨボビンの支持用取付具の構成を示す一部断面図である。
【図３】外れ防止機能を備えたＣＣＨボビンの支持用取付具を構成する延長ボルトの斜視図である。
【図４】外れ防止機能を備えたＣＣＨボビンの支持用取付具を構成する専用ハンドルの外観図である。
【図５】従来品のＣＣＨボビンの固定治具の斜視図である。
【図６】外れ防止機能を備えたＣＣＨボビンの支持用取付具を取り付ける手順を示す図である。
【図７】ストッパ片に長孔が設けられた変形実施例の延長ボルトの斜視図である。
【図８】ストッパ片の軸支部分の両端の厚さが異なる変形実施例の延長ボルトの斜視図である。
【図９】従来技術によるＣＣＨボビンの固定治具の構成を示す図である。
【図１０】作業用バケットにＣＣＨボビンを取り付けた状態を示す図である。
【符号の説明】
【００１９】
１０      支持用取付具
１２      延長ボルト
１４      ストッパ片
１４ａ    長片
１４ｂ    短片
１６      雌ネジ
１８      雄ネジ
２０      面取り
２１      貫通溝
２２      軸支
２３      長孔
２４      専用ハンドル
２６      雌ネジ
３０      固定治具
３２      固定構造
３４      作業用バケット
３６      ＣＣＨボビン
３８      支持構造
４０      支持軸
４２      ねじ軸
４４      スポンジ
【図１】
2008254902.tif 000003
【図２】
2008254902.tif 000004
【図３】
2008254902.tif 000005
【図４】
2008254902.tif 000006
【図５】
2008254902.tif 000007
【図６】
2008254902.tif 000008
【図７】
2008254902.tif 000009
【図８】
2008254902.tif 000010
【図９】
2008254902.tif 000011
【図１０】
2008254902.tif 000012